(57)【要約】      （修正有）【課題】学習者の問題に対する集中力を高めると共に答え合わせを容易にすることができ、効率的な学習を可能にする学習教材を提供する。【解決手段】問題が印刷された上部シートと、問題に対する解答が印刷された下部シートとを重ねて使用する学習教材であって、上部シートは透明性を有する材質から構成されると共に上部シートの問題に対応する位置に下部シートの解答が透視できるように配置される。上部シートと下部シートとの間に介在させる中間シートを備え、該中間シートにより下部シートの解答を隠蔽する。【選択図】図７
0003156261.tif 000002
【実用新案登録請求の範囲】
【請求項１】
問題が印刷されたシートＡと、前記問題に対する解答が印刷されたシートＢとを重ねて使用する学習教材であって、前記シートＡは透明性を有する材質から構成されると共に前記シートＡの問題に対応する位置に前記シートＢの解答が透視できるように配置され、前記シートＡと前記シートＢとの間に介在させるシートＣを備え、前記シートＣにより前記シートＢの解答を隠蔽することを特徴とする学習教材。
【請求項２】
前記シートＣには前記シートＡの問題に対するヒントが印刷され、前記シートＡの問題の近傍に前記シートＣのヒントが透視できるように配置されていることを特徴とする請求項１に記載の学習教材。
【請求項３】
問題とその問題に対する解答が印刷されたシートＤと、前記問題に対するヒントが印刷されたシートＥとを重ねて使用する学習教材であって、前記シートＤは透明性を有する材質から構成されると共に前記シートＤの問題の近傍に前記シートＥのヒントが透視できるように配置され、前記シートＤと前記シートＥとの間に介在させるシートＦを備え、前記シートＦにより前記シートＥのヒントを隠蔽すると共に前記シートＦには前記シートＤの解答を判読困難にする隠蔽部を設けたことを特徴とする学習教材。
【請求項４】
前記シートＡ及び前記シートＢ又は前記シートＤ及び前記シートＥがクリアファイルを構成する透明シートであることを特徴とする請求項１乃至請求項３のいずれか１項に記載の学習教材。
【請求項５】
前記シートＡ及び前記シートＢ又は前記シートＤ及び前記シートＥが本のページとして挟み込まれている透明シートであることを特徴とする請求項１乃至請求項３のいずれか１項に記載の学習教材。
【考案の詳細な説明】
【技術分野】
【０００１】
本発明は、透明シートを利用して問題に対する解答又はヒントを透視することができるように工夫した学習教材に関する。
【背景技術】
【０００２】
従来の学習教材では、問題に対する解答が解答集として別冊になっているもの、問題に対する解答やヒントが問題に併置されているもの、などが一般的に知られている。
また、算数の計算の学習をする場合、外国語の単語の意味の学習をする場合などに、一方の面に問題、他方の面に解答を記載したカードを複数枚積み重ねて使用する形式の学習教材が使用されている。
【０００３】
特許文献１（特開２００７−１８３３５１号公報）には、問題の解答を見る場合、問題の解答を容易に見ることができると共に、次の問題が見えないようにした学習教材を提供することを目的として、一方の面に問題、他方の面に解答を記載した同一形状のカードを複数枚積み重ねて使用する形式の学習教材であって、上側に置かれたカードの問題に対する解答を見る場合、そのカードの端部を持ち上げることにより解答を見ることができると共に、そのカードの下側に置かれたカードに記載された問題は見えないように問題と解答を記載したことを特徴とする「学習教材」の発明が開示されている。
【０００４】
特許文献２（特開平１１−２０２７４８号公報）には、学習教材の文字や地の部分を印刷する色と着色透明フィルムとの組み合わせにより反復学習を容易にし、また着色フィルムを複数組み合わせることで反復学習が平板に流れることを防止することを目的として、第１の色で表示された部分と第２の色で表示された部分を含む本体部分と、第１の色と同色の透明フィルムと第２の色の補色の透明フィルムを組み合わせてなる「学習教材」の発明が開示されている。
【０００５】
特許文献３（実開平６−６８０６０号公報）には、暗記学習で１問ごとの答の確認を容易にすること及び問題に対する集中力を高めることを目的として、問題部分１と解答部分２がつながったシート３を、問題部分１の行数，列数と同じ行数，列数を表示できる画面４をもつ学習器６に入れ、シート３を７の方向に移動することにより、画面４の最上部に表示された問題の答を順番に画面４の最下行で確認できることを特徴とする「暗記用学習教材」の考案が開示されている。
【先行技術文献】
【特許文献】
【０００６】
【特許文献１】特開２００７−１８３３５１号公報
【特許文献２】特開平１１−２０２７４８号公報
【特許文献３】実開平６−６８０６０号公報
【考案の概要】
【考案が解決しようとする課題】
【０００７】
本考案は、透明シートを利用して問題に対する解答又はヒントを透視することができるように工夫することにより、学習者の問題に対する集中力を高めると共に答え合わせを容易にすることができ、効率的な学習を実現する学習教材を提供することを目的とする。
【課題を解決するための手段】
【０００８】
上記の課題を解決するために、請求項１に記載の考案は、問題が印刷されたシートＡと、前記問題に対する解答が印刷されたシートＢとを重ねて使用する学習教材であって、前記シートＡは透明性を有する材質から構成されると共に前記シートＡの問題に対応する位置に前記シートＢの解答が透視できるように配置され、前記シートＡと前記シートＢとの間に介在させるシートＣを備え、前記シートＣにより前記シートＢの解答を隠蔽することを特徴とする。
【０００９】
また、請求項２に記載の考案は、請求項１に記載の前記シートＣには前記シートＡの問題に対するヒントが印刷され、前記シートＡの問題の近傍に前記シートＣのヒントが透視できるように配置されていることを特徴とする。
【００１０】
また、請求項３に記載の考案は、問題とその問題に対する解答が印刷されたシートＤと、前記問題に対するヒントが印刷されたシートＥとを重ねて使用する学習教材であって、前記シートＤは透明性を有する材質から構成されると共に前記シートＤの問題の近傍に前記シートＥのヒントが透視できるように配置され、前記シートＤと前記シートＥとの間に介在させるシートＦを備え、前記シートＦにより前記シートＥのヒントを隠蔽すると共に前記シートＦには前記シートＤの解答を判読困難にする隠蔽部を設けたことを特徴とする。
【００１１】
また、請求項４に記載の考案は、請求項１乃至請求項３のいずれか１項に記載の前記シートＡ及び前記シートＢ又は前記シートＤ及び前記シートＥがクリアファイルを構成する透明シートであることを特徴とする。
【００１２】
また、請求項５に記載の考案は、請求項１乃至請求項３のいずれか１項に記載の前記シートＡ及び前記シートＢ又は前記シートＤ及び前記シートＥが本のページとして挟み込まれている透明シートであることを特徴とする。
【考案の効果】
【００１３】
以上のように、本考案によれば、透明シートを利用して問題に対する解答又はヒントが透視できるように配置されているので、問題のテストを行うときは透明シートの下に別のシートを介在させて解答を隠して学習者の問題に対する集中力を高めることができ、一方介在させたシートを取り除くと答え合わせを容易にすることができる。
【図面の簡単な説明】
【００１４】
【図１】問題が印刷されたシートＡの一例を示す図である。
【図２】解答が印刷されたシートＢの一例を示す図である。
【図３】図１のシートＡと図２のシートＢを重ねた図である。
【図４】図３の各シートを重ね合わせた状態を示す説明図である。
【図５】ヒントが印刷されたシートＣの一例を示す図である。
【図６】図１のシートＡと図２のシートＢとの間に図５のシートＣを介在させた図である。
【図７】図６の各シートを重ね合わせた状態を示す説明図である。
【図８】問題とその問題に対する解答が印刷されたシートＤの一例を示す図である。
【図９】ヒントが印刷されたシートＥの一例を示す図である。
【図１０】図８のシートＤと図９のシートＥを重ねた図である。
【図１１】解答を判読困難にする隠蔽部を設けたシートＦの一例を示す図である。
【図１２】図８のシートＤと図９のシートＥとの間に図１１のシートＦを介在させた図である。
【考案を実施するための形態】
【００１５】
以下、本考案の実施の形態について図面を参酌しながら説明する。なお、本考案にかかる学習教材は、以下の実施例に限定されるものではなく、内容及び形態等は使用状況によって適宜変更することができる。
【００１６】
（実施例１）  本実施例の学習教材は、図１に示す問題が印刷されたシートＡと、図２に示す問題に対する解答が印刷されたシートＢとを重ねて使用する。  シートＡは透明性を有する材質から構成されており、図３及び図４に示すようにシートＡの問題に対応する位置にシートＢに印刷された解答が透視できるように配置されている。ここで、シートＡの材質については、合成樹脂製のものが適しているが、透明性を有する材質であればこれに限定されない。  また、シートＡとシートＢとの間に介在させる白紙の用紙等のシートＣ（図示省略）を備えており、このシートＣによりシートＢの解答を隠蔽する。  この学習教材を使用する場合、シートＡとシートＢの間に白紙の用紙等のシートＣ（図示省略）を挟み入れるとシートＢの解答が隠れた状態になり、シートＡの問題のテストを行うことができる。また、挟み入れた白紙の用紙等のシートＣ（図示省略）を取り除くと問題の答え合わせができる。
上述したシートＡ及びシートＢは、書類を挟み入れるクリアファイルの２枚の透明シートにより構成することができる。また、シートＡ及びシートＢは、本のページとして挟み込まれている構成であってもよい。
【００１７】
（実施例２）  本実施例の学習教材は、上述した実施例１に示すシートＡとシートＢとの間に介在させるシートＣにシートＡの問題に対するヒントが印刷されている（図５参照）。  この学習教材を使用する場合、シートＡとシートＢの間にシートＣを挟み入れるとシートＣのヒントが見えてシートＢの解答が隠れた状態になり（図６及び図７参照）、ヒントを参考にしながら問題のテストを行うことができる。また、シートＣを取り除くと問題の答え合わせができる。
【００１８】
（実施例３）
本実施例の学習教材は、図８に示す問題とその問題に対する解答が印刷されたシートＤと、図９に示す問題に対するヒントが印刷されたシートＥとを重ねて使用する。
シートＤは透明性を有する材質から構成されており、図１０に示すようにシートＤの問題の近傍にシートＥに印刷されたヒントが透視できるように配置されている。ここで、シートＤの材質については、合成樹脂製のものが適しているが、透明性を有する材質であればこれに限定されない。
また、シートＤとシートＥとの間に介在させるシートＦを備えており、シートＦによりシートＥのヒントを隠蔽すると共にシートＦにはシートＤの解答を判読困難にする隠蔽部が設けられている（図１１参照）。ここで、隠蔽部はシートＤの解答の位置に重なり解答を判読困難にするものであればよく、隠蔽部の大きさや形状等は任意のものを選択することができる。
この学習教材を使用する場合、シートＤとシートＥの間にシートＦを挟み入れるとシートＥのヒントとシートＤの解答が隠れた状態になり（図１２参照）、問題のテストを行うことができる。また、シートＦを取り除くと問題の答え合わせができる。
上述したシートＤ及びとシートＥは、書類を挟み入れるクリアファイルの２枚の透明シートにより構成することができる。また、シートＤ及びとシートＥは、本のページとして挟み込まれている構成であってもよい。
【図１】
0003156261.tif 000003
【図２】
0003156261.tif 000004
【図３】
0003156261.tif 000005
【図４】
0003156261.tif 000006
【図５】
0003156261.tif 000007
【図６】
0003156261.tif 000008
【図７】
0003156261.tif 000009
【図８】
0003156261.tif 000010
【図９】
0003156261.tif 000011
【図１０】
0003156261.tif 000012
【図１１】
0003156261.tif 000013
【図１２】
0003156261.tif 000014
【手続補正書】
【提出日】平成21年10月9日(2009.10.9)
【手続補正１】
【補正対象書類名】実用新案登録請求の範囲
【補正対象項目名】全文
【補正方法】変更
【補正の内容】
【実用新案登録請求の範囲】
【請求項１】
問題が印刷されたシートＡと、前記問題に対する解答が印刷されたシートＢとを重ねて使用する学習教材であって、前記シートＡは透明性を有する材質から構成されると共に前記シートＡの問題に対応する位置に前記シートＢの解答が透視できるように配置され、前記シートＡと前記シートＢとの間に介在させるシートＣを備え、前記シートＣにより前記シートＢの解答を隠蔽することを特徴とする学習教材。
【請求項２】
前記シートＣには前記シートＡの問題に対するヒントが印刷され、前記シートＡの問題の近傍に前記シートＣのヒントが透視できるように配置されていることを特徴とする請求項１に記載の学習教材。
【請求項３】
問題とその問題に対する解答が印刷されたシートＤと、前記問題に対するヒントが印刷されたシートＥとを重ねて使用する学習教材であって、前記シートＤは透明性を有する材質から構成されると共に前記シートＤの問題の近傍に前記シートＥのヒントが透視できるように配置され、前記シートＤと前記シートＥとの間に介在させるシートＦを備え、前記シートＦにより前記シートＥのヒントを隠蔽すると共に前記シートＦには前記シートＤの解答を判読困難にする隠蔽部を設けたことを特徴とする学習教材。
【請求項４】
前記シートＡ及び前記シートＢがクリアファイルを構成する透明シート又は本のページとして挟み込まれている透明シートであることを特徴とする請求項１又は請求項２に記載の学習教材。
【請求項５】
前記シートＤ及び前記シートＥがクリアファイルを構成する透明シート又は本のページとして挟み込まれている透明シートであることを特徴とする請求項３に記載の学習教材。
【手続補正２】
【補正対象書類名】明細書
【補正対象項目名】００１１
【補正方法】変更
【補正の内容】
【００１１】
また、請求項４に記載の考案は、請求項１又は請求項２に記載の前記シートＡ及び前記シートＢがクリアファイルを構成する透明シート又は本のページとして挟み込まれている透明シートであることを特徴とする。
【手続補正３】
【補正対象書類名】明細書
【補正対象項目名】００１２
【補正方法】変更
【補正の内容】
【００１２】
また、請求項５に記載の考案は、請求項３に記載の前記シートＤ及び前記シートＥがクリアファイルを構成する透明シート又は本のページとして挟み込まれている透明シートであることを特徴とする。